(57)【要約】      （修正有）【課題】コンクリート製溝ブタを容易にかつ安全確実に付け外しすることができる手動式コンクリート製溝ブタ吊クランプをを提供する。【解決手段】手動式コンクリート製溝ブタ吊クランプのアーム１の下端部には、把持手２が設けられている。把持手２はコンクリート製溝ブタの下面に容易に入り込むよう曲げられ、先端に向かってテーパーさせた爪３が設けられている。  また把持手２の根元外側には泥等により側溝に固着したコンクリート製溝ブタを梃子を使って容易に側溝がら剥離させるための梃子手４を備えている。  また把持手２の根元内側に、把持したコンクリート製溝ブタが振れて落下するのを防止するために支点軸と垂直方向に伸びる支持手５を備えている。  またコンクリート製溝ブタを把持するアーム１の中心となるアーム支点６をアーム別支点穴７を用いることで可変式とし、取っ手８を脱着式支点９によって脱着可能とた。【選択図】図１
2006256862.tif 000002
【特許請求の範囲】
【請求項１】
道路側溝のコンクリート製溝ブタを把持する際、コンクリート製溝ブタの下面に容易に入り込むよう曲げられ、また先端に向かってテーパーさせた爪を備える把持手を設けたことを特徴とする手動式コンクリート製溝ブタ吊クランプ。
【請求項２】
請求項１記載の把持手の根元外側に、泥等により側溝に固着したコンクリート製溝ブタを梃子を使って容易に側溝がら剥離させるための梃子手を備えたことを特徴とする請求項１記載の手動式コンクリート製溝ブタ吊クランプ。
【請求項３】
請求項１記載の把持手の根元内側に、把持したコンクリート製溝ブタが振れて落下するのを防止するために支点軸と垂直方向に伸びる支持手を備えたことを特徴とする請求項１記載の手動式コンクリート製溝ブタ吊クランプ。
【請求項４】
コンクリート製溝ブタを把持するアームの中心となる支点を可変式とし、よって様々なサイズのコンクリート製溝ブタを把持することが可能であることを特徴とする請求項１記載の手動式コンクリート製溝ブタ吊クランプ。
【請求項５】
手動で大きな力を発生させるために大きく成らざるを得ず、嵩張りがちである取っ手を脱着可能とし、よって運搬時の取り回しが良く、また保管時の省スペース化が可能であることを特徴とする請求項１記載の手動式コンクリート製溝ブタ吊クランプ。
【発明の詳細な説明】
【発明の詳細な説明】
【技術分野】
【０００１】  本発明は、道路側溝のコンクリート製溝ブタを容易かつ安全確実に付け外しするのに用いる手動式コンクリート製溝ブタ吊クランプの形状に関する。
【背景技術】
【０００２】  従来は道路側溝掃除の際、道路側溝のコンクリート製溝ブタを外すのに用いる器具は土木作業分野で汎用的に利用される手動式コンクリートクランプで代用されるケースがほとんどで、その形状は、図１に示す本発明の手動式コンクリート製溝ブタ吊クランプから支持手、爪が欠けた形状を採っている。
【発明の開示】
【発明が解決しようとする課題】
【０００３】  しかしながら、以上の技術によれば、土木作業分野で汎用的に利用される手動式コンクリートクランプで把持したコンクリート製溝ブタは把持手とコンクリート製溝ブタの横方向の摩擦力による把持であるがために縦方向の重力に対し滑りやすく、特に板厚が厚いコンクリート製溝ブタは重く、泥等がコンクリート製溝ブタ付着しているケースも多くそれらによって滑りが助長され、またその器具を扱う者は主に一般人で土木作業に精通している者であることは少ないため器具の扱いにおいて習熟度が低く、作業途中でコンクリート製溝ブタが落下することがあり安全性に乏しかった。
そこで、本発明は、コンクリート製溝ブタを容易にかつ安全確実に付け外しすることができる手動式コンクリート製溝ブタ吊クランプを提供することを課題とする。
【課題を解決するための手段】
【０００４】  以上の課題を解決するために、請求項１に関わる本発明は、道路側溝のコンクリート製溝ブタを把持する際、コンクリート製溝ブタの下面に容易に入り込むよう曲げられ、また先端に向かってテーパーさせた爪を備える把持手を設けたことを特徴とする手動式コンクリート製溝ブタ吊クランプである。【０００５】  また請求項２に関わる本発明は、請求項１記載の把持手の根元外側に、泥等により側溝に固着したコンクリート製溝ブタを梃子を使って容易に側溝がら剥離させるための梃子手を備えたことを特徴とする請求項１記載の手動式コンクリート製溝ブタ吊クランプである。【０００６】  また請求項３に関わる本発明は、請求項１記載の把持手の根元内側に、把持したコンクリート製溝ブタが振れて落下するのを防止するために支点軸と垂直方向に伸びる支持手を備えたことを特徴とする請求項１記載の手動式コンクリート製溝ブタ吊クランプである。【０００７】  また請求項４に関わる本発明は、コンクリート製溝ブタを把持するアームの中心となる支点を可変式とし、よって様々なサイズのコンクリート製溝ブタを把持することが可能であることを特徴とする請求項１記載の手動式コンクリート製溝ブタ吊クランプである。【０００８】  また請求項５に関わる本発明は、手動で大きな力を発生させるために大きく成らざるを得ず、嵩張りがちである取っ手を脱着可能とし、よって運搬時の取り回しが良く、また保管時の省スペース化が可能であることを特徴とする請求項１記載の手動式コンクリート製溝ブタ吊クランプである。
【発明の効果】
【０００９】  図２に示す通り、本発明手動式コンクリート製溝ブタ吊クランプは、コンクリート製溝ブタ１０を把持する際、コンクリート製溝ブタの下面に容易に入り込むよう曲げられ、また先端に向かってテーパーさせた爪３を備える把持手２を設けており、図のように確実にコンクリート製溝ブタ１０を把持する。
また把持した後の運搬時には、コンクリート製溝ブタ１０は支持手５の下面全体と把持手２、爪３によって把持され、特に支持手５は把持されたコンクリート製溝ブタ１０の垂直方向の振れを抑制するため落下防止の効果が大きい。【００１０】  図３に示す通り、コンクリート製溝ブタ１０が泥等により側溝に固着している場合は、本発明手動式コンクリート製溝ブタ吊クランプをコンクリート製溝ブタ１０にセントした後、梃子手４とバール等の器具１１、梃子土台１２を利用して梃子を使ってコンクリート製溝ブタ１０を容易に側溝がら剥離させることが出来る。
【発明を実施するための最良の形態】
【００１１】  本発明の一実施形態を、図１に示す。
手動式コンクリート製溝ブタ吊クランプのアーム１の下端部には、把持手２が設けられている。把持手２はコンクリート製溝ブタの下面に容易に入り込むよう曲げられ、先端に向かってテーパーさせた爪３が設けられている。【００１２】  また把持手２の根元外側には泥等により側溝に固着したコンクリート製溝ブタを梃子を使って容易に側溝がら剥離させるための梃子手４を備えている。【００１３】  また把持手２の根元内側に、把持したコンクリート製溝ブタが振れて落下するのを防止するために支点軸と垂直方向に伸びる支持手５を備えている。【００１４】  またコンクリート製溝ブタを把持するアーム１の中心となるアーム支点６をアーム別支点穴７を用いることで可変式とし、よって様々なサイズのコンクリート製溝ブタを把持することが可能である。【００１５】  また手動で大きな力を発生させるために大きく成らざるを得ず、嵩張りがちである取っ手８を脱着式支点９によって脱着可能とし、よって運搬時の取り回しが良く、また保管時の省スペース化が可能である。
【図面の簡単な説明】
【００１６】
【図１】本発明の一実施形態を示す斜視図である。
【図２】本発明の一実施形態を示す断面図である。
【図３】本発明の一実施形態を示す斜視図である。
【符号の説明】
【００１７】      １    アーム
２    把持手
３    爪
４    梃子手
５    支持手
６    アーム支点
７    アーム別支点穴
８    取っ手
９    脱着式支点
１０  コンクリート製溝ブタ
１１  バール等の器具
１２  梃子土台
【図１】
2006256862.tif 000003
【図２】
2006256862.tif 000004
【図３】
2006256862.tif 000005